(57)【特許請求の範囲】
【請求項１】
交流電源の交流電圧を任意に変化させた制御電圧が入力され、入力電圧に応じた電力を負荷に供給するように制御する電力変換回路と；
前記入力電圧の遮断時間を計時する計時部と、前記遮断時間に基づいて前記電力変換回路の制御モードを可変し当該制御モードで前記電力変換回路を制御する制御部と、前記入力電圧に応じた出力の負荷特性を複数選択可能に保持する記憶部とを有する制御回路と；
を具備し、
前記負荷は、複数のグループに分けて設けられ、
前記制御部は、前記計時部が計時した遮断時間に基づいて前記グループを選択すると共に前記記憶部から前記負荷特性を選択し、この選択した負荷特性で、選択したグループの負荷に電力が供給されるように前記電力変換回路を制御することを特徴とする電源装置。
【請求項２】
光源が配設された照明器具と；
交流電源が入力されて動作し、前記光源を前記負荷として点灯する請求項１に記載の電源装置と；
前記交流電源および前記電源装置間の電路に介在し、交流電圧を任意に変化させた制御電圧を出力して前記電源装置に入力する位相制御部および前記交流電源を開閉する電源スイッチを有する位相制御装置と；
を具備していることを特徴とする照明システム。
【発明の詳細な説明】
【技術分野】
【０００１】
本発明の実施形態は、負荷の電力を制御する電源装置および照明システムに関する。
【背景技術】
【０００２】
ＬＥＤを光源とする照明器具は、調光や調色可能に使用されているものがある。このＬＥＤ照明器具には、従来の白熱灯照明器具と同様に、位相制御方式の調光器を用いているものがある。例えば、商用交流電源の位相角に応じてＬＥＤの調光および調色を行うＬＥＤ照明器具が提案されている（例えば特許文献１参照。）。このＬＥＤ照明器具は、位相角と光量の関係を示す調光特性および位相角と色温度との関係を示す調色特性を備えており、検出した位相角に応じた調光・調色特性が得られるように、発光色の異なる各ＬＥＤに流れる電流を調整している。
【先行技術文献】
【特許文献】
【０００３】
【特許文献１】特開２０１２−１３４００１号公報（第１０頁、第２，１６，１７図）
【発明の概要】
【発明が解決しようとする課題】
【０００４】
従来、例えば位相角と光量の関係を示す調光特性は、一義的に設定されており、光源を多様な調光特性で調光させることができなく、光源の調光を調光器の操作量に対して例えば急激にまたは緩やかに制御できない等の欠点があった。また、ユーザーにおいては、使用環境に応じた光源の調色が調光の多様性とともに求められている。
【０００５】
本発明の実施形態は、簡単な操作により、負荷の制御モードを変更可能な電源装置および照明システムを提供することを目的とする。
【課題を解決するための手段】
【０００６】
本実施形態の電源装置は、電力変換回路および制御回路を有して構成される。電力変換回路は、交流電源の交流電圧を任意に変化させた制御電圧が入力され、入力電圧に応じた電力を負荷に供給するように制御する。
【０００７】
制御回路は、計時部および制御部を有して形成される。計時部は、交流電源から電力変換回路に入力する入力電圧の遮断時間を計時する。制御部は、計時部により計時された遮断時間に基づいて電力変換回路の制御モードを可変するとともに、当該制御モードで電力変換回路を制御する。
【発明の効果】
【０００８】
本実施形態の電源装置によれば、電力変換回路の入力電圧の遮断時間に基づいて電力変換回路の制御モードが可変されるので、交流電源の交流電圧の可変制御によって負荷の電力を多様に変化できることが期待できる。
【図面の簡単な説明】
【０００９】
【図１】本発明の第１の実施形態を示す照明システムおよび電源装置の概略ブロック図である。
【図２】同上、電力変換回路の入力電圧に対する負荷の光出力の関係を示す負荷特性のグラフである。
【図３】本発明の第２の実施形態を示す照明システムおよび電源装置の概略ブロック図である。
【図４】本発明の第３の実施形態を示す照明システムおよび電源装置の概略ブロック図である。
【発明を実施するための形態】
【００１０】
以下、本発明の一実施形態について、図面を参照して説明する。まず、本発明の第１の実施形態について説明する。
【００１１】
本実施形態の照明システム１は、図１に示すように、照明器具２、電源装置３および位相制御装置４を有して構成されている。照明器具２は、負荷としての光源５を配設している。光源５は、例えば複数個のＬＥＤ６からなっている。複数個のＬＥＤ６は、直列接続または直並列接続されている。電源装置３は、位相制御装置４を介して交流電源Ｖｓに接続され、交流電源Ｖｓを入力して動作し、交流電力を直流電力に変換して光源５に供給し、光源５を点灯する。すなわち、電源装置３は、本実施形態では、光源５を点灯する点灯装置に構成されている。なお、照明器具２は、電源装置３を配設していてもよく、別置していてもよい。
【００１２】
位相制御装置４は、交流電源Ｖｓの正弦波交流電圧を位相制御するものであり、交流電源Ｖｓおよび電源装置３間の電路に介在している。すなわち、位相制御装置４の接続端子４ａ，４ｂが交流電源Ｖｓおよび電源装置３間の電路の中間に接続されている。そして、位相制御装置４は、本実施形態では、位相制御部７および電源スイッチ８を有している。電源スイッチ８は、手動操作により、交流電源Ｖｓから電源装置３に入力する交流電圧を開閉する。
【００１３】
位相制御装置４は、コントルクス（登録商標）と称されるものであり、既知の構成からなっている。すなわち、位相制御装置４は、電源スイッチ８を介して接続端子４ａ，４ｂに接続されたコンデンサＣ１およびインダクタＬ１からなるノイズ防止回路と、抵抗Ｒ１、可変抵抗ＶＲ１およびコンデンサＣ２の時定数回路、トライアックＴＲ１およびトリガーダイオードＴＤ１を有する位相制御部７とにより形成されている。
【００１４】
可変抵抗ＶＲ１は、つまみやフェーダなどの操作子に接続されており、操作子が任意に手動操作されることにより抵抗値が変化する。この抵抗値の変化に応じてトリガーダイオードＴＤ１が導通する位相角（導通角）が設定される。トライアックＴＲ１は、位相角のタイミングで導通する。ここで、位相角は、正弦波交流電圧の始点のゼロクロス時点から電圧が立ち上がるまでの時間を意味する。位相制御装置４は、操作子の手動操作によって、交流電源Ｖｓの交流電圧を任意に変化させた制御電圧を出力して電源装置３に入力する。
【００１５】
本実施形態の電源装置３は、フィルター回路９、電圧検出回路１０、電力変換回路１１および制御回路１２を有して形成されている。電源装置３は、入力端子１２ａ，１２ｂが位相制御装置４を介して交流電源Ｖｓに接続され、出力端子１３ａ，１３ｂが光源５に接続されている。入力端子１２ａ，１２ｂには、位相制御装置４より位相角に応じた制御電圧が入力する。
【００１６】
フィルター回路９は、電源装置３に発生したノイズが交流電源Ｖｓ側に伝播することを防止する。電圧検出回路１０は、例えば抵抗Ｒ２および抵抗Ｒ３の直列回路を有してなり、入力端子１２ａ，１２ｂに入力する交流電圧（制御電圧）を抵抗Ｒ３の両端間電圧で検出する。検出した交流電圧は、制御回路１２に入力され、制御回路１２において直流電圧に変換される。なお、電圧検出回路１０は、フィルター回路９の前段側および後段側のいずれに設けられてもよく、または、後述の整流回路１４の後段側に設けられてもよい。
【００１７】
電力変換回路１１は、ＡＣ−ＤＣ変換回路であり、本実施形態では、整流回路１４および電圧調整回路１５を有して形成されている。整流回路１４は、例えば整流器およびこの整流器の出力間に接続されたコンデンサを有して形成され、入力端子１２ａ，１２ｂに入力する交流電圧を整流して、電圧調整回路１５に供給する。
【００１８】
電圧調整回路１５は、整流回路１４の整流電圧を所定の直流電圧に変換するものであり、本実施形態では、降圧チョッパ回路に形成されている。すなわち、電圧調整回路１５は、整流回路１４の出力間に接続された電界効果トランジスタＱ１およびダイオードＤ１の直列回路と、ダイオードＤ１に並列接続されたインダクタＬ２および平滑用コンデンサＣ３の直列回路を有して形成されている。平滑用コンデンサＣ３の両端が出力端子１３ａ，１３ｂに接続されている。
【００１９】
電界効果トランジスタＱ１は、制御回路１２により、入力端子１２ａ，１２ｂに入力する入力電圧に応じてオンオフ制御される。これにより、整流回路１４から出力された整流電圧がチョッピングされて、平滑用コンデンサＣ３の両端間に入力電圧に応じた電圧（電力）が発生する。平滑用コンデンサＣ３は、光源（負荷）５に電力を供給する電源部となっている。こうして、電力変換回路１１は、電源装置３の入力端子１２ａ，１２ｂに入力する入力電圧に応じた電力を光源５に供給するように制御する。
【００２０】
なお、電力変換回路１１は、整流回路１４を整流平滑回路としてもよく、電圧調整回路１５を昇圧チョッパ回路または昇降圧チョッパ回路に形成することもできる。
【００２１】
そして、制御回路１２は、電力変換回路１１の電界効果トランジスタＱ１をオンオフ制御するものであり、本実施形態では、計時部１６、不揮発性の記憶部１７、電源部１８および制御部１９を有して構成されている。
【００２２】
計時部１６は、不図示のタイマ回路を備えている。そして、計時部１６は、動作中、制御部１９に入力する電圧検出回路１０の抵抗Ｒ３の両端間電圧を監視しており、抵抗Ｒ３の両端間電圧がほぼ零電圧になった時点から抵抗Ｒ３の両端間に電圧が発生するまでの時間を計時する。すなわち、計時部１６は、位相制御装置４の電源スイッチ８をオフオンしたときの電源装置３の入力電圧の遮断時間を計時する。
【００２３】
記憶部１７は、制御部１９が電圧調整回路１５の電界効果トランジスタＱ１を制御する制御モードを記憶している。制御モードは、例えば電源装置３の入力電圧に応じた出力としての光源５の光出力を示す負荷特性であり、記憶部１７は、互いに異なる負荷特性を複数記憶（保持）している。図２は、当該負荷特性を示すグラフであり、線Ａ１〜Ａ３で示す負荷特性を記憶している。線Ａ１の負荷特性は、入力端子１２ａ，１２ｂに入力する入力電圧に対して光源５の光出力（光量）が比例的に増加する関係を示す。線Ａ２の負荷特性は、入力電圧に対して光出力が指数関数的に増加する関係であり、入力電圧が上昇するにつれて光出力が緩やかに増加した後に急激に増加するものである。そして、線Ａ３の負荷特性は、対数関数的に電力が変化するものであり、入力電圧が上昇するにつれて光出力が急激に増加した後に緩やかに増加する関係を示す。
【００２４】
図２中、入力電圧１００％時は、入力端子１２ａ，１２ｂに交流電源Ｖｓのほぼ正弦波の交流電圧が入力しているときであり、このとき、光源５には最大の電力が供給され、光源５は、全光点灯される。入力端子１２ａ，１２ｂに入力する入力電圧は、交流電源Ｖｓの交流電圧が位相制御装置４により位相制御されて位相角が大きくなるにつれて、最大値（入力電圧１００％）から低下していく。
【００２５】
位相制御装置４の可変抵抗ＶＲ１は、その抵抗値の可変幅の範囲で可変される。そして、本実施形態では、抵抗値の最大値のときに、トライアックＴＲ１が導通する位相角が交流電圧の始点のゼロクロス時点の近傍値となり、入力端子１２ａ，１２ｂに交流電源Ｖｓから略正弦波の交流電圧が入力される。また、抵抗値の最小値のときに、位相角が交流電圧の終点のゼロクロス時点の近くの値となり、入力端子１２ａ，１２ｂには、最大値（１００％）の例えば５％の入力電圧が入力される。
【００２６】
そして、可変抵抗ＶＲ１は、手動操作される操作子と結合されており、操作子の操作量に応じて抵抗値が可変する。操作子が操作範囲の下限位置であるときに、可変抵抗ＶＲ１の抵抗値は、可変幅の最大値となり、操作子が操作範囲の上限位置であるときに、可変抵抗ＶＲ１の抵抗値は、可変幅の最小値となっている。すなわち、本実施形態では、操作子を操作範囲の下限位置から上限位置側に操作するにつれて、可変抵抗ＶＲ１の抵抗値が最大値から最小値側に減少していくように設定されている。
【００２７】
電源部１８は、計時部１６や制御部１９等に動作電源を供給するものであり、例えば整流回路１４の整流電圧から所定の直流電源を生成している。当該直流電源は、所定容量の電解コンデンサに生成され、所定時間に亘って制御部１９等に動作電源を供給可能としている。
【００２８】
制御部１９は、マイコンを有して形成されている。そして、制御部１９には、入力端子１２ａ，１２ｂに入力する入力電圧に応じた直流電圧が入力される。すなわち、電圧検出回路１０の抵抗Ｒ３の両端間電圧は、制御部１９の前段において入力電圧に応じた直流電圧に変換される。そして、制御部１９は、図２に示す線Ａ１〜Ａ３の負荷特性に基づいて電力変換回路１１の電界効果トランジスタＱ１をオンオフ制御するように形成されている。
【００２９】
また、制御部１９は、計時部１６が計時した入力電圧の遮断時間に基づいて線Ａ１〜Ａ３の負荷特性を選択し、選択した線Ａ１〜Ａ３の負荷特性に基づいて電力変換回路１１の電界効果トランジスタＱ１をオンオフ制御するように形成されている。例えば、制御部１９は、入力電圧の遮断時間が所定期間内であると、負荷特性の切り換えを行い、所定期間を超えていると、直前の負荷特性を保持する。ここで、制御部１９は、所定期間（例えば３秒）以内の入力電圧の遮断毎に、線Ａ１〜Ａ３の負荷特性の一つを順次選択する。このように、制御部１９は、計時部１６が計時する入力電圧の遮断時間に基づいて、電力変換回路１１の電界効果トランジスタＱ１をオンオフ制御する制御モードを可変し、可変した制御モードで電界効果トランジスタＱ１を制御する。
【００３０】
次に、本発明の第１の実施形態の作用について述べる。
【００３１】
電源装置３は、位相制御装置４の電源スイッチ８がオンされると、入力端子１２ａ，１２ｂに交流電源Ｖｓからの交流電圧が入力される。制御回路１２が動作し、制御部１９は、入力電圧に応じた光出力の負荷特性に基づいて、光源５の光出力が入力端子１２ａ，２２ｂに入力した入力電圧に応じたものとなり、当該光出力となる電力が光源５に供給するように電力変換回路１１の電界効果トランジスタＱ１をオンオフ制御する。光源５は、点灯し、供給される電力に応じた可視光を放射する。照明器具２は、所定の照明領域を照明する。
【００３２】
そして、電源スイッチ８がオフされると、入力端子１２ａ，１２ｂに交流電圧が入力されなくなり、制御部１９は、電界効果トランジスタＱ１のオンオフ制御を停止する。これにより、光源５に電力が供給されなくなり、光源５は、消灯する。ここで、制御回路１２の電源部１８は、電源スイッチ８のオフ後の所定時間（例えば１０秒）に亘って動作電源を供給し、制御回路１２を動作させる。
【００３３】
そして、電源スイッチ８のオン時において、位相制御装置４の操作子を操作すると、可変抵抗ＶＲ１の抵抗値が可変されて、トライアックＴＲ１が導通する位相角が変化し、電源装置３の入力端子１２ａ，１２ｂには、可変された交流電圧（位相制御された制御電圧）が入力する。すなわち、操作子を操作範囲で増減操作すると、電源装置３の入力端子１２ａ，１２ｂに入力する交流電圧が増減する。制御部１９は、負荷特性に基づいて、増減した入力電圧に応じた電力が光源５に供給するように電力変換回路１１の電界効果トランジスタＱ１をオンオフ制御する。光源５は、増減した電力に応じた可視光を放射する。
【００３４】
こうして、操作子を移動操作することにより、光源５は、負荷特性に基づいて調光点灯される。例えば、制御部１９が図２に示す線Ａ１の負荷特性で電界効果トランジスタＱ１をオンオフ制御しているときに、操作子を操作範囲の下限位置側から上限位置側に移動操作すると、光源５は、操作子の移動操作に応じて比例的に電力が増加し、放射する光量が増加していく。照明器具２は、照明空間を明るく照明する。また、操作子を操作範囲の上限位置側から下限位置側に移動操作すると、光源５は、操作子の移動操作に応じて比例的に電力が減少し、放射する光量が減少する。照明空間は、光源５から放射される光量の減少によって暗く照明されていく。
【００３５】
そして、操作子を操作範囲の下限位置側から上限位置側に移動操作するに際して、照明空間を緩やかに明るく照明したいときには、電源スイッチ８を所定期間（例えば３秒）内でオフオン操作する。このとき、入力端子１２ａ，１２ｂに入力されている交流電圧は、電源スイッチ８のオフ期間に亘って遮断される。この遮断時間は、制御回路１２の計時部１６によって計時される。制御部１９は、計時部１６が計時した遮断時間が所定期間内であると、記憶部１７に記憶している線Ａ１〜Ａ３の負荷特性を読み出して、線Ａ１の負荷特性から線Ａ２の負荷特性に切り換えて保持する。そして、線Ａ２の負荷特性に基づいて電力変換回路１１の電界効果トランジスタＱ１をオンオフ制御する。
【００３６】
また、操作子を操作範囲の下限位置側から上限位置側に移動操作するに際して、照明空間が急激に明るくなるように照明したいときには、さらに電源スイッチ８を所定期間（例えば３秒）内でオフオン操作する。制御部１９は、計時部１６が計時した遮断時間が所定期間内であると、記憶部１７に記憶している線Ａ１〜Ａ３の負荷特性を読み出して、線Ａ２の負荷特性から線Ａ３の負荷特性に切り換えて保持する。そして、制御部１９は、線Ａ３の負荷特性に基づいて電力変換回路１１の電界効果トランジスタＱ１をオンオフ制御する。
【００３７】
上述したように、光源５は、操作子の移動操作に応じて供給される電力が可変されて調光点灯される。照明器具２は、照明空間を光源５の調光率に応じた光量で照明する。ここで、電源スイッチ８のオフオン操作により、照明空間の明るさを可変可能である。すなわち、光源５が例えば線Ａ１の負荷特性に基づいて調光点灯されているときに、電源スイッチ８を所定期間（例えば３秒）内でオフオン操作することにより、線Ａ２の負荷特性に切り換わり、さらに電源スイッチ８を所定期間内でオフオン操作することにより、線Ａ３の負荷特性に切り換わる。入力端子１２ａ，１２ｂに入力する入力電圧に対して線Ａ１〜Ａ３の負荷特性の電力がそれぞれ異なるので、負荷特性が切り換わることにより、光源５に供給される電力が可変される。これにより、光源５から放射される光量が変化し、照明器具２による照明空間の明るさが変化する。
【００３８】
本実施形態の電源装置３および照明システム１によれば、制御回路１２の制御部１９は、電源装置３の入力端子１２ａ，１２ｂに入力する入力電圧の遮断時間に基づいて電力変換回路１１の電界効果トランジスタＱ１をオンオフ制御する制御モードを可変するので、位相制御装置４による交流電源Ｖｓの交流電圧の可変制御によって、光源５の電力を多様に可変することができ、照明器具２による照明を多様化できるという効果を有する。
【００３９】
また、制御回路１２は、複数の負荷特性を選択可能に保持し、制御部１９は、選択した負荷特性で電力変換回路１１を制御するので、位相制御装置４によって光源５を多様に調光点灯させることができるという効果を有する。
【００４０】
なお、本実施形態において、電源装置３の入力端子１２ａ，１２ｂには、位相制御装置４により位相制御された交流電圧（制御電圧）により、交流電源Ｖｓの交流電圧が可変可能に入力するようにしたが、これに限らず、例えば交流電圧の波高値を可変制御して入力するようにしてもよい。
【００４１】
また、負荷は、光源５を用いたが、これに限らず、例えばヒータなどの電気素子であってもよく、言うなれば、消費電力が可変される電気素子や電気機器であってもよい。
【００４２】
また、制御回路１２は、線Ａ１〜Ａ３の負荷特性に限らず、さらに互いに異なる他の負荷特性を保持していてもよい。
【００４３】
次に、本発明の第２の実施形態について説明する。
【００４４】
本実施形態の照明システム２１は、図３に示すように構成される。照明システム２１は、図１に示す照明システム１において、照明器具２が照明器具２２に、電源装置３が電源装置２３に構成されたものであり、他の構成は同一である。なお、図３において、図１と同一部分には同一符号を付して説明は省略する。
【００４５】
照明器具２２は、負荷としての光源５Ａ，５Ｂを配設している。光源５Ａ，５Ｂは、グループに分けて設けられ、互いに発光色が異なる複数個のＬＥＤ６からなっている。ＬＥＤ６は、直列接続または直並列接続されている。
【００４６】
電源装置２３は、図１に示す電源装置３において、切換回路２４が設けられたものである。切換回路２４は、電力変換回路１１の電圧調整回路１５と出力端子１３ａ，１３ｃ，１３ｄ間の電路に介在し、スイッチとしての電界効果トランジスタＱ２，Ｑ３を有して形成されている。電界効果トランジスタＱ２は、ドレインが出力端子１３ｂに接続され、ソースが電圧調整回路１５（平滑用コンデンサＣ３）の負極側に接続されている。また、電界効果トランジスタＱ３は、ドレインが出力端子１３ｃに接続され、ソースが平滑用コンデンサＣ３の負極側に接続されている。すなわち、平滑用コンデンサＣ３の両端間は、電界効果トランジスタＱ２を介して出力端子１３ａ，１３ｃに接続されているとともに、電界効果トランジスタＱ３を介して出力端子１３ａ，１３ｄに接続されている。
【００４７】
そして、出力端子１３ａ，１３ｃは、光源５Ａの両端間に接続され、出力端子１３ａ，１３ｄは、光源５Ｂの両端間に接続されている。電界効果トランジスタＱ２，Ｑ３は、それぞれのゲート（制御端子）が制御回路１２の制御部１９に接続されており、制御部１９によりオンオフ制御される。電界効果トランジスタＱ２がオンすると、電力変換回路１１から光源５Ａに電力が供給され、電界効果トランジスタＱ３がオンすると、電力変換回路１１から光源５Ｂに電力が供給される。
【００４８】
次に、本発明の第２の実施形態の作用について述べる。
【００４９】
制御部１９は、光源５Ａ，５Ｂの電力を制御する負荷特性の選択と、制御する光源５Ａ，５Ｂの選択の双方を行える。負荷特性の選択と、光源５Ａ，５Ｂの選択は、電源スイッチ８のオフオン操作の遮断時間によって行う。例えば、制御部１９は、電源スイッチ８のオフオン操作において、計時部１６が計時した入力電圧の遮断時間が所定期間（例えば３秒）以内であると、負荷特性の選択モードとし、遮断時間が所定期間を超えていると、光源５Ａ，５Ｂの選択モードとする。
【００５０】
制御部１９は、入力電圧の遮断時間が所定期間内であると、線Ａ１〜Ａ３の負荷特性を順次選択して保持し、当該選択した負荷特性で電力変換回路１１の電界効果トランジスタＱ１をオンオフ制御する。
【００５１】
また、制御部１９は、電源スイッチ８のオフ後に制御回路１２が動作を継続する所定時間（例えば１０秒）以内において、入力電圧の遮断時間が所定期間（例えば３秒）を超えていると、光源５Ａ，５Ｂを順次選択する。例えば、入力電圧の遮断時間が順次所定期間（例えば３秒）ないし所定時間（例えば１０秒）であると、光源５Ａ、光源５Ｂ、光源５Ａ，５Ｂの両方の順序で選択する。
【００５２】
制御部１９は、光源５Ａを選択すると、切換回路２４の電界効果トランジスタＱ２をオンにし、電界効果トランジスタＱ３をオフにする。また、光源５Ｂを選択すると、電界効果トランジスタＱ３をオンにし、電界効果トランジスタＱ２をオフにする。そして、光源５Ａ，５Ｂの両方を選択すると、電界効果トランジスタＱ２，Ｑ３をオンにする。
【００５３】
照明器具２２は、光源５Ａが選択されると、光源５Ａの発光色の照明光で照明空間を照明し、光源５Ｂが選択されると、光源５Ｂの発光色の照明光で照明空間を照明し、光源５Ａ，５Ｂが選択されると、光源５Ａの発光色および光源５Ｂの発光色が混合した照明光で照明空間を照明する。こうして、照明器具２２は、光源５Ａ，５Ｂの選択に応じた調色の照明を行う。
【００５４】
また、制御部１９は、電源スイッチ８のオフオン操作に応じて線Ａ１〜Ａ３の負荷特性を選択し、その選択した負荷特性で電力変換回路１１の電界効果トランジスタＱ１をオンオフ制御することにより、光源５Ａ，５Ｂを多様な色光で調光点灯させる。こうして、照明器具２２は、照明空間の使用環境に応じて照明可能な調光・調色機能を有する。
【００５５】
本実施形態の電源装置２３および照明システム２１によれば、電源スイッチ８のオフオン操作によって光源５Ａ，５Ｂの選択および負荷特性の選択を行えるので、照明器具２２での多様な調光、調色を容易に行うことができるという効果を有する。
【００５６】
なお、本実施形態において、光源５Ａ，５Ｂは、同一の発光色を有するＬＥＤ６であってもよく、光源５Ａ，５Ｂの選択により照明器具２２から部分的に照明光を放射させてもよい。
【００５７】
次に、本発明の第３の実施形態について説明する。
【００５８】
本実施形態の照明システム３１は、図４に示すように構成される。照明システム３１は、図１に示す照明システム１において、照明器具２が照明器具３２に、電源装置３が電源装置３３に構成されたものであり、他の構成は同一である。なお、図４において、図１および図３と同一部分には同一符号を付して説明は省略する。
【００５９】
照明器具３２は、負荷としての光源５Ａ，５Ｂを配設している。光源５Ａ，５Ｂは、互いに発光色が異なる複数個のＬＥＤ６からなっている。ＬＥＤ６は、直列接続または直並列接続されている。そして、光源５Ａ，５Ｂは、グループに分けて設けられ、それぞれ個別に電力が供給される。
【００６０】
電源装置３３は、図１に示す電源装置３において、電力変換回路１１と並列的に電力変換回路３４が設けられたものである。電力変換回路３４は、整流回路３５および電圧調整回路３６を有して形成されている。整流回路３５および電圧調整回路３６は、それぞれ電力変換回路１１の整流回路１４および電力変換回路１５と同一構成により形成されている。すなわち、整流回路３５は、例えば整流器およびコンデンサを有して形成されている。また、電圧調整回路３４は、電界効果トランジスタＱ４、ダイオードＤ２、インダクタＬ３および平滑用コンデンサＣ４を用いた降圧チョッパ回路に形成されている。平滑用コンデンサＣ４の両端が出力端子１３ｅ，１３ｆに接続されている。
【００６１】
そして、電力変換回路１１側の出力端子１３ａ，１３ｂは、光源５Ａの両端側に接続されている。また、電力変換回路３４側の出力端子１３ｅ，１３ｆは、光源５Ｂの両端側に接続されている。なお、電力変換回路１１および電力変換回路３４は、整流回路１４または整流回路３５を共用する構成であってもよい。
【００６２】
制御回路１２の制御部１９は、図３において説明したように、電源スイッチ８のオフオン操作に応じて、光源５Ａ，５Ｂの光出力を制御する負荷特性の選択と、制御する光源５Ａ，５Ｂの選択を行う。そして、選択した負荷特性で電力変換回路１１の電界効果トランジスタＱ１をオンオフ制御することにより光源５Ａを調光点灯させ、電界効果トランジスタＱ１のオンオフ制御を停止することにより光源５Ａを消灯させる。また、電力変換回路３４の電界効果トランジスタＱ４をオンオフ制御することにより光源５Ｂを調光点灯させ、電界効果トランジスタＱ４のオンオフ制御を停止することにより光源５Ｂを消灯させる。
【００６３】
本実施形態の電源装置３３および照明システム３１によれば、制御回路１２の制御部１９は、選択した光源５Ａ，５Ｂに対して、選択した負荷特性で電力変換回路１１および電力変換回路３４をそれぞれ制御することにより、照明器具３２で多様な調光、調色を行うことができる。
【００６４】
なお、本発明の上述した実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６５】
１，２１，３１…照明システム、  ２，２２，３２…照明器具、  ３，２３，３３…電源装置、  ４…位相制御装置、  ５，５Ａ，５Ｂ…負荷としての光源、  ８…電源スイッチ、  １１，３４…電力変換回路、  １２…制御回路、  １６…計時部、  １９…制御部
【図１】
0006492765.tif 000002
【図２】
0006492765.tif 000003
【図３】
0006492765.tif 000004
【図４】
0006492765.tif 000005